(57)【要約】【課題】クロストーク現象を防止する発光素子を提供する。【解決手段】発光素子は、複数のピクセル60’及びスキャン駆動部63を含み、ピクセルはデータラインＤ1〜ＤｍとスキャンラインＳ1〜Ｓｎが交差する発光領域に形成される。スキャン駆動部63は、第１の時間の間、少なくとも一つのスキャンラインを、第１電圧を有する第１電圧源に連結し、第２の時間の間、スキャンラインを、第２電圧を有する第２電圧源に連結し、第３の時間の間、スキャンラインを、第３電圧を有する第３電圧源に連結する。ここで、第２電圧は、第１電圧と第３電圧の間の電圧である。発光素子は、プリチャージ電流の大きさに関係なく、データラインをデータ電流のレベルと同じ大きさのレベルまで放電させるので、発光素子にクロストーク現象が発生しない。【選択図】図６
2007164119.tif 000002
【特許請求の範囲】
【請求項１】
データラインとスキャンラインが交差する発光領域に形成された複数のピクセルと、
第１の時間の間、少なくとも一つのスキャンラインを第１電圧を有する第１電圧源に連結し、第２の時間の間、前記スキャンラインを第２電圧を有する第２電圧源に連結し、第３の時間の間、前記スキャンラインを第３電圧を有する第３電圧源に連結するスキャン駆動部と、を含み、
前記第２電圧は、前記第１電圧と前記第３電圧の間の電圧であることを特徴とする発光素子。
【請求項２】
前記第３電圧源は、接地されていることを特徴とする請求項１に記載の発光素子。
【請求項３】
前記発光素子は、さらに、
前記第１の時間の間、プリチャージ電流を１つのデータラインに供給するプリチャージ部と、
前記第３の時間の間、データ電流を前記プリチャージされたデータラインに供給するデータ駆動部と、を含むことを特徴とする請求項１に記載の発光素子。
【請求項４】
前記スキャンラインが前記第２電圧源に連結されるとき、前記データラインが前記データ電流のレベルと同じ大きさのレベルまで放電されることを特徴とする請求項３に記載の発光素子。
【請求項５】
前記発光素子は、さらに、
前記データラインを放電させる放電部と、
前記プリチャージ部、前記データ駆動部及び前記放電部の動作を制御する制御部と、を含むことを特徴とする請求項３に記載の発光素子。
【請求項６】
前記第１電圧は、前記発光素子の駆動電圧と同じ大きさを有することを特徴とする請求項１に記載の発光素子。
【請求項７】
前記スキャン駆動部は、さらに、
前記スキャンラインと前記第１電圧源の連結をスイッチングする第１スイッチ、
前記スキャンラインと前記第２電圧源の連結をスイッチングする第２スイッチ、および
前記スキャンラインと前記第３電圧源の連結をスイッチングする第３スイッチを含むことを特徴とする請求項１に記載の発光素子。
【請求項８】
前記スイッチ中の少なくとも一つのスイッチは、ＭＯＳトランジスタであることを特徴とする請求項７に記載の発光素子。
【請求項９】
前記第１スイッチ及び第２スイッチは、Ｐ−ＭＯＳトランジスタであり、前記第３スイッチは、Ｎ−ＭＯＳトランジスタであることを特徴とする請求項８に記載の発光素子。
【請求項１０】
前記第２の時間及び前記第３の時間は、クロック数によって設定されることを特徴とする請求項１に記載の発光素子。
【請求項１１】
前記発光素子は、有機電界発光素子であることを特徴とする請求項１に記載の発光素子。
【請求項１２】
データラインとスキャンラインが交差する発光領域に形成される複数のピクセルと、
プリチャージ時間の間、プリチャージ電流を前記データラインに供給するプリチャージ部と、
発光時間の間、データ電流を前記データラインに供給するデータ駆動部と、
前記プリチャージ時間の間、一つのスキャンラインを、第１電圧を有する第１電圧源に連結し、遅延時間の間、前記スキャンラインを、第２電圧を有する第２電圧源に連結し、前記発光時間の間、前記スキャンラインを、第３電圧を有する第３電圧源に連結するスキャン駆動部を含み、
前記遅延時間は、前記プリチャージ時間と前記発光時間の間の時間であることを特徴とする有機電界発光素子。
【請求項１３】
前記第２電圧は、前記第１電圧と前記第３電圧の間の電圧であることを特徴とする請求項１２に記載の有機電界発光素子。
【請求項１４】
前記第１電圧は、前記有機電界発光素子の駆動電圧と同じ大きさを有し、前記第３電圧源は、接地されていることを特徴とする請求項１２に記載の有機電界発光素子。
【請求項１５】
前記スキャンラインが前記第２電圧源に連結されるとき、前記データラインが前記データ電流のレベルと同じ大きさのレベルまで放電されることを特徴とする請求項１２に記載の有機電界発光素子。
【請求項１６】
データラインとスキャンラインが交差する発光領域に形成される複数のピクセルを含む発光素子を駆動させる方法において、
プリチャージ時間の間、一つのスキャンラインを、第１電圧を有する第１電圧源に連結する段階、
遅延時間の間、前記スキャンラインを、第２電圧を有する第２電圧源に連結する段階、及び、
発光時間の間、前記スキャンラインを、第３電圧を有する第３電圧源に連結する段階を含み、
前記第２電圧は、前記第１電圧と前記第３電圧の間の電圧であることを特徴とする発光素子駆動方法。
【請求項１７】
前記発光素子駆動方法は、さらに、
前記プリチャージ時間の間、プリチャージ電流を少なくとも一つのデータラインに供給する段階、及び、
前記発光時間の間、データ電流を前記データラインに供給する段階を含むことを特徴とする請求項１６に記載の発光素子駆動方法。
【請求項１８】
前記スキャンラインが前記第２電圧源に連結されたとき、前記プリチャージ電流によってプリチャージされたデータラインは、前記データ電流のレベルと同じ大きさのレベルまで放電されることを特徴とする請求項１７に記載の発光素子駆動方法。
【請求項１９】
前記第１電圧は、前記発光素子の駆動電圧と同じ大きさを有し、前記第３電圧源は、接地されていることを特徴とする請求項１６に記載の発光素子駆動方法。
【請求項２０】
前記スキャンラインは、Ｍ（正数）クロックの間、前記第２電圧源に連結され、Ｎ（Ｍより大きな正数）クロックの間、前記第３電圧源に連結されることを特徴とする請求項１６に記載の発光素子駆動方法。
【発明の詳細な説明】
【技術分野】
【０００１】
本発明は、発光素子及びその駆動方法に関する。詳しくは、クロストーク現象を防止する発光素子及びその駆動方法に関するものである。
【背景技術】
【０００２】
発光素子は、所定波長の光を発生させる素子であり、特に、有機電界発光素子は自己発光素子である。
図１は、従来の有機電界発光素子に含まれたピクセルを概略的に示した断面図であり、図２は、パッシブ・マトリックス型の有機電界発光素子を概略的に示した回路図である。また、図３は、有機電界発光素子を駆動させる過程を示したタイミング図である。
【０００３】
図２に示されるように、有機電界発光素子は複数のピクセル１０を含む。
各ピクセル１０は、図１に示されるように、有機基板１上に順次に積層された透明導電性物質からなるアノード電極層２、正孔輸送層３、有機物からなる発光層４、電子輸送層５及び金属からなるカソード電極層６を含む。
【０００４】
アノード電極層２に正の電圧が供給され、カソード電極層６に負の電圧が供給される場合、正孔輸送層３はアノード電極層２から発生された正孔を発光層４に輸送し、電子輸送層５はカソード電極層６から発生した電子を発光層４に輸送する。次いで、発光層４に輸送された正孔及び電子が再結合して、それにより所定波長を有する光が発光層４から発散される。
【０００５】
このような有機電界発光素子は、アクティブ方式とパッシブ方式とに分けられる。
以下、パッシブ方式の有機電界発光素子を詳述する。
【０００６】
図２及び図３を参照すれば、パッシブ方式の有機電界発光素子は、データラインＤ１〜ＤｍとスキャンラインＳ１〜Ｓｎが交差する発光領域に形成される複数のピクセル１０を含む。
【０００７】
スキャンラインＳ１〜Ｓｎにスキャン信号ＳＰ１〜ＳＰｎが供給され、これによりスキャンラインＳ１〜Ｓｎが順次アースされる。データラインＤ１〜Ｄｍにはスキャン信号ＳＰ１〜ＳＰｎと同期されたデータ信号、即ち、データ電流Ｉｄが供給されている。その結果、アースに接続されたスキャンラインに該当するピクセルがデータ電流Ｉｄに対応する輝度を有する光を放出する。
【０００８】
このような有機電界発光素子には、以下で説明するようにクロストーク現象が発生された。
図４は、有機電界発光素子に表示される画面を示した図面である。
図４を参照すれば、有機電界発光素子は、画面の中心に黒色画像が表示され、残りの領域に白色画像が表示される停止画面を表示する。
【０００９】
以下、黒色画像に隣接した白色画像領域を第１白色領域Ａとし、第１白色領域Ａの上下部に位置する白色画像領域を第２白色領域Ｂとする。
【００１０】
第１白色領域Ａと第２白色領域Ｂとが同じ輝度を有する光を放出するように同じ大きさのデータ電流が第１白色領域Ａと第２白色領域Ｂに供給されていたにもかかわらず、第１白色領域Ａから放出される光の輝度と第２白色領域Ｂから放出される光の輝度が異なった。
【００１１】
このようなことをクロストーク（Cross-talk）現象といい、これに対する詳細な説明は以下添付された図面を参照して詳述する。
図５は、有機電界発光素子を駆動させる過程を示したタイミング図である。
【００１２】
図５に示されるように、第１白色領域Ａに該当するＮ＋１スキャンラインに供給されるスキャン信号ＳＰ２のプリチャージ時間において、所定データラインに供給される第１プリチャージ電流の量は、第１白色領域Ａが黒色画像を実現するので、第２白色領域Ｂに該当するＮスキャンラインに供給されるスキャン信号ＳＰ１のプリチャージ時間でデータラインに供給されるプリチャージ電流の量より小さい。即ち、Ｎ＋１スキャンラインに対応する発光時間の開始時点での大きさは、Ｎスキャンラインに対応する発光時間の開始時点での高さより小さい。
【００１３】
次いで、第１白色領域Ａと第２白色領域Ｂとが同じ輝度を有するように、同じ大きさのデータ電流がＮ＋１スキャンライン中の発光時間及びＮスキャンライン中の発光時間の間、所定データラインに供給される。しかし、同一の大きさのデータ電流の供給にもかかわらず、Ｎ＋１スキャンラインに該当するピクセルとＮスキャンラインに該当するピクセルは、Ｎ＋１スキャンライン及びＮスキャンラインに対応するプリチャージ電流の大きさが違って、互いに異なる輝度を有する光を発生させた。即ち、同じ輝度を有するように既設定されていたにもかかわらず、第１白色領域Ａと第２白色領域Ｂと間に輝度差が生じた。従って、クロストーク現象によって有機電界発光素子の表示品質が低下され得る。
【発明の開示】
【発明が解決しようとする課題】
【００１４】
従って、本発明は、クロストーク現象を防止する発光素子及びその駆動方法を提供すること目的としている。
【課題を解決するための手段】
【００１５】
前記の目的を達成するために、本発明の一実施例に係る発光素子は、複数のピクセル及びスキャン駆動部を含む。前記ピクセルは、データラインとスキャンラインが交差する発光領域に形成される。前記スキャン駆動部は第１の時間の間、少なくとも一つのスキャンラインを第１電圧を有する第１電圧源に連結し、第２の時間の間、前記スキャンラインを第２電圧を有する第２電圧源に連結し、第３の時間の間、前記スキャンラインを第３電圧を有する第３電圧源に連結する。ここで、前記第２電圧は、前記第１電圧と前記第３電圧の間の電圧である。
【００１６】
本発明の好ましい一実施例に係る有機電界発光素子は、複数のピクセル、プリチャージ部、データ駆動部及びスキャン駆動部を含む。前記ピクセルは、データラインとスキャンラインが交差する発光領域に形成される。前記プリチャージ部は、プリチャージ時間の間プリチャージ電流を前記データラインに供給する。前記データ駆動部は、発光時間の間、データ電流を前記データラインに供給する。前記スキャン駆動部は、前記プリチャージ時間の間、一つのスキャンラインを、第１電圧を有する第１電圧源に連結し、遅延時間の間、前記スキャンラインを第２電圧を有する第２電圧源に連結し、前記発光時間の間、前記スキャンラインを第３電圧を有する第３電圧源に連結する。ここで、前記遅延時間は、前記プリチャージ時間と前記発光時間の間の時間である。
【００１７】
また、本発明における有機電界発光素子の構成によれば、データラインとスキャンラインが交差する発光領域に形成される複数のピクセルと、プリチャージ時間の間、プリチャージ電流を前記データラインに供給するプリチャージ部と、発光時間の間、データ電流を前記データラインに供給するデータ駆動部と、前記プリチャージ時間の間、一つのスキャンラインを、第１電圧を有する第１電圧源に連結し、遅延時間の間、前記スキャンラインを、第２電圧を有する第２電圧源に連結し、前記発光時間の間、前記スキャンラインを、第３電圧を有する第３電圧源に連結するスキャン駆動部を含み、
前記遅延時間は、前記プリチャージ時間と前記発光時間の間の時間であることを特徴としている。
【００１８】
本発明の好ましい一実施例に係るデータラインとスキャンラインが交差する発光領域に形成される複数のピクセルを含む発光素子を駆動させる方法は、プリチャージ時間の間、一つのスキャンラインを、第１電圧を有する第１電圧源に連結する段階、遅延時間の間、前記スキャンラインを、第２電圧を有する第２電圧源に連結する段階、及び発光時間の間、前記スキャンラインを、第３電圧を有する第３電圧源に連結する段階を含む。ここで、前記第２電圧は、前記第１電圧と前記第３電圧の間の電圧である。
【００１９】
本発明の一実施例に係る発光素子及びその駆動方法は、プリチャージ電流の大きさに関係なくデータラインをデータ電流のレベルと同じ大きさのレベルに放電させるので、前記発光素子にクロストーク現象が発生されない。
【発明の効果】
【００２０】
上述するように、本発明の一実施例に係る発光素子及びその駆動方法は、プリチャージ電流の大きさに関係なく、データラインをデータ電流のレベルと同じ大きさのレベルまで放電させるので、発光素子にクロストーク現象が発生されない長所がある。
【発明を実施するための最良の形態】
【００２１】
以下、本発明の好ましい実施例について詳述する。
図６は本発明の好ましい一実施例に係る発光素子を示したブロック図である。図７は本発明の実施例に係るスキャン駆動部を概略的に示した回路図であり、図８は図７のスイッチに供給される制御信号を示したタイミング図である。図９は本発明の好ましい他の実施例に係るスキャン駆動部を概略的に示した回路図であり、図１０は図９のスイッチに供給される制御信号を示したタイミング図である。
【００２２】
本発明の発光素子は有機電界発光素子、液晶表示装置（ＬＣＤ）またはプラズマ表示パネル（ＰＤＰ）などのような表示素子を意味する。但し、以下では、説明の便宜のために有機電界発光素子の一例として、発光素子の動作を詳述する。
図６を参照すれば、本発明の発光素子はパネル６０、制御部６１、スキャン駆動部６３、プリチャージ部６４及びデータ駆動部６５を含む。
パネル６０はデータラインＤ１〜ＤｍとスキャンラインＳ１〜Ｓｎが交差する発光領域に形成される複数のピクセル６０'を含む。
【００２３】
制御部６１は、外部装置から表示データ、例えばＲＧＢデータを受信し、受信された表示データを利用してスキャン駆動部６３及びデータ駆動部６５を制御する。また、制御部６１は、表示データの階調値を判断してその階調値に対応するプリチャージ電流データをルックアップテーブル６２から読み込む。その後、制御部６１は、プリチャージ電流データに対応する制御信号ＳＥＬ１、ＳＥＬ２を発生させ、制御信号ＳＥＬ１、ＳＥＬ２を利用してプリチャージ部６４を制御する。ここで、第１制御信号ＳＥＬ１は、プリチャージ電流データに該当するプリチャージ電流が、プリチャージ時間の間、データラインＤ１〜Ｄｍに供給されるように制御する信号である。しかし、第２制御信号ＳＥＬ２は、プリチャージ時間後、プリチャージ電流の供給を遮断してデータ電流がデータラインＤ１〜Ｄｍに供給されるように制御する信号である。
【００２４】
ルックアップテーブル６２は、表示データの各階調に対応するプリチャージ電流データを貯蔵する。
プリチャージ部６４は、データラインＤ１〜Ｄｍにプリチャージ電流を供給してデータラインＤ１〜Ｄｍをプリチャージする。
【００２５】
データ駆動部６５は、制御部６１の制御の下に表示データに該当するデータ電流を、プリチャージ部６４によりプリチャージされたデータラインＤ１〜Ｄｍに供給する。
【００２６】
スキャン駆動部６３は、制御部６１の制御の下にスキャン信号を、スキャンラインＳ１〜Ｓｎに順次に伝送する。その結果、スキャンラインＳ１〜Ｓｎが順次に第３電圧源、例えばアースに接続される。但し、第３電圧源に接続されるスキャンラインに供給されるスキャン信号（ＳＰｉ：ここで、ｉは１からｎまでの数のいずれかの数）は、図８に示されるように、プリチャージ時間と発光時間の間に遅延時間を有し、この場合、遅延時間の間、高論理レベルに該当する第１レベル電圧と、低論理レベルに該当する第３レベル電圧との間の第２レベル電圧を有する。
【００２７】
詳細には、スキャン駆動部６３は、図７に示されるように、スキャンラインＳ１〜Ｓｎに第１レベル電圧（第１電圧）を供給する第１電圧源ＶSCAN1と、スキャンラインＳ１〜Ｓｎに第２レベル電圧（第２電圧）を供給する第２電圧源ＶSCAN2と、スキャンラインＳ１〜Ｓｎに第３レベル電圧（第３電圧）を供給する第３電圧源、例えば接地電圧源（ground）を含む。
また、スキャン駆動部６３は、さらに、スキャンラインＳ１〜Ｓｎと第１電圧源ＶSCAN1との間の連結をスイッチングする第１スイッチ（＋）ＴS、スキャンラインＳ１〜Ｓｎと第２電圧源ＶSCAN2との間の連結をスイッチングする第２スイッチＴDS及びスキャンラインＳ１〜Ｓｎと第３電圧源の間の連結をスイッチングする第３スイッチＴSを含む。ここで、本発明の一実施例に係る第２レベル電圧は、発光素子の最大輝度に対応する駆動電圧と同じ大きさを有する。
【００２８】
スイッチ（＋）ＴS、ＴDS、ＴSは、図示しないタイミング制御部から供給されるオン−オフ制御信号によってスキャンラインＳ１〜Ｓｎを第１電圧源ＶSCAN1、第２電圧源ＶSCAN2またはアースに接続する。ここで、スイッチ（＋）ＴS、ＴDS、ＴSは、図８に示すように、第１スキャン制御信号ＣＳ１、第２スキャン制御信号ＣＳ２及び第３スキャン制御信号ＣＳ３によってそれぞれ制御される。
【００２９】
本発明の一実施例に係るスイッチ（＋）ＴS、ＴDS、ＴS中の少なくとも一つは、ＭＯＳトランジスタからなる。例えば、スイッチ（＋）ＴS及びスイッチＴDSは、Ｐ−ＭＯＳトランジスタからなり、スイッチＴSは、Ｎ−ＭＯＳトランジスタからなる。
【００３０】
要するに、本発明の発光素子は、フリーチャージ時間の間、供給されたプリチャージ電流によってプリチャージされたデータラインＤ１〜Ｄｍを遅延時間の間放電させる。即ち、本発明の発光素子は、図４に図示された第２白色領域ＢのスキャンラインＮＳＣＡＮに供給されるスキャン信号ＳＰ１中のプリチャージ時間の間、プリチャージされたデータラインＤ１〜Ｄｍを遅延時間の間放電させ、第１白色領域Ａのスキャンライン（Ｎ＋１  ＳＣＡＮ）に供給されるスキャン信号ＳＰ２中のプリチャージ時間の間、プリチャージされたデータラインＤ１〜Ｄｍを遅延時間の間放電させる。ここで、データラインＤ１〜Ｄｍは、以後供給されるデータ電流のレベルと同じ大きさのレベルまで放電される。その後、発光時間の間、データラインＤ１〜Ｄｍにデータ電流が供給される。
【００３１】
以下、本発明の発光素子を駆動させる過程を、以下の添付図面を参照して詳述する。
図１１は、本発明の好ましい一実施例に係る発光素子を駆動させる過程を示したタイミング図であり、図１２は、本発明の好ましい一実施例に係る遅延時間及び発光時間を設定する方法を示したタイミング図である。説明の便宜のために、データラインＤ１〜Ｄｍ中の白色領域のみに位置する一つのデータラインを考慮する。また、Ｎスキャンラインに供給される第１スキャン信号の発光時間lt１の間、データラインに供給される第１データ電流I１に対応する輝度は、Ｎ＋１スキャンラインに供給される第２スキャン信号の発光時間lt２の間、第２データラインに供給される第２データ電流Ｉ２に対応する輝度と同一と仮定する。
【００３２】
図１１に示されるように、データラインは、白色画像のみを実現するスキャンラインＮＳＣＡＮに供給される第１スキャン信号で第１放電時間dcha１の間、放電部（未図示）によって放電される。
【００３３】
次いで、第１プリチャージ時間pcha１の間、第１プリチャージ電流がデータラインに供給され、これにより放電されたデータラインがプリチャージされる。続けて、第１遅延時間dt１の間、プリチャージされたデータラインが、以降に供給される第１データ電流I１のレベルと同じ大きさのレベルまで放電される。
【００３４】
次いで、第１発光時間lt１の間、放電されたデータラインに第１データ電流I１が供給され、これによりデータライン及びNスキャンラインに対応する第１ピクセルが発光する。続けて、データラインが黒色画像を実現するＮ＋１スキャンラインに供給される第２スキャン信号で第２放電時間dcha２の間放電される。
【００３５】
次いで、第２プリチャージ時間pcha２の間、第２プリチャージ電流がデータラインに供給され、これにより放電されたデータラインがプリチャージされる。続けて、第２遅延時間dt１の間プリチャージされたデータラインが、以降に供給される第２データ電流I２のレベルと同じ大きさのレベルまで放電される。
【００３６】
次いで、第２発光時間lt２の間放電されたデータラインに第２データ電流I２が供給され、これによりデータライン及びＮ＋１スキャンラインに対応する第２ピクセルが発光する。
【００３７】
上述するように、データラインは、第１プリチャージ電流の大きさに関係なく第１遅延時間dt１の間、第１データ電流I１のレベルと同じ大きさのレベルまで放電され、第２プリチャージ電流の大きさに関係なく第２遅延時間dt２の間、第２データ電流I２のレベルと同じ大きさのレベルまで放電される。ここで、データ電流I１及びI２が同じ大きさを有するので、データラインに対応するピクセルは、第１発光時間lt１の間と第２発光時間lt２の間、同じ輝度で発光する。即ち、第１プリチャージ電流及び第２プリチャージ電流の大きさに関係なく、ピクセルは第１発光時間lt１の間と第２発光時間lt２の間、同じ輝度で発光する。従って、本発明の発光素子にはクロストーク現象が発生されない。
【００３８】
以下、本発明の発光素子で遅延時間及び発光時間を設定する方法を、図１２を参照して詳述する。
図１２（ａ）を参照すれば、本発明の発光素子に使われるスキャン信号の遅延時間及び発光時間は、従来の発光素子に使われるスキャン信号の発光時間の大きさと同一である。
【００３９】
即ち、本発明の発光素子は、従来の発光素子より小さな発光時間を有する。このような遅延時間及び発光時間は、図１２（ａ）に示されるようにクロック数を調節することによって設定され得る。
【００４０】
例えば、一つのスキャン時間をカウントするカウンターは、２７クロックで、従来の発光素子と同じ数を維持しながら、発光時間でのカウンターは、従来２４クロックより小さい２２クロックに縮まる。このとき、縮まれたクロック数は、遅延時間で設定される。ここで、遅延時間のために増えたクロック数だけ発光時間のクロック数が減ったので、フレーム周波数には変化がない。
【００４１】
図１２（ｂ）を参照すれば、本発明の発光素子では、従来の発光素子でよりスキャン時間長を増加させる。反面に、発光時間をそのまま維持させて、増加されたスキャン時間だけを図１２（ｂ）に示されるように遅延時間で設定する。
【００４２】
もちろん、本発明での遅延時間を設定するための方法は多様に変形でき、このような様々な変形は、本発明の権利範囲に影響を及ぼさないということは当業者にとって自明な事実である。
【００４３】
また、本発明の実施例に係る発光素子の駆動方法は、パッシブ方式にて説明したが、公知のあらゆるアクティブ方式の発光素子にも適用可能である。
以上で説明した本発明は、例示の目的のために開示されたものであり、本発明に対する通常の知識を有した当業者であるならば、本発明の技術的思想の範囲内で様々な修正、変更、付加が可能である。従って、このような修正、変更及び付加は本発明の特許請求の範囲に属するものである。
【図面の簡単な説明】
【００４４】
【図１】従来の有機電界発光素子に含まれたピクセルを概略的に示した断面図である。
【図２】パッシブ・マトリックス型の有機電界発光素子を概略的に示した回路図である。
【図３】有機電界発光素子を駆動させる過程を示したタイミング図である。
【図４】有機電界発光素子に表示される画面を示した図面である。
【図５】有機電界発光素子を駆動させる過程を示したタイミング図である。
【図６】本発明の好ましい一実施例に係る発光素子を示したブロック図である。
【図７】本発明の実施例に係るスキャン駆動部を概略的に示した回路図である。
【図８】図７のスイッチらに供給される制御信号を示したタイミング図である。
【図９】本発明の好ましい他の実施例に係るスキャン駆動部を概略的に示した回路図である。
【図１０】図９のスイッチに供給される制御信号を示したタイミング図である。
【図１１】本発明の好ましい一実施例に係る発光素子を駆動させる過程を示したタイミング図である。
【図１２】本発明の好ましい一実施例に係る遅延時間及び発光時間を設定する方法を示したタイミング図である。
【符号の説明】
【００４５】
Ｄ１〜Ｄｍ  データライン
Ｓ１〜Ｓｎ  スキャンライン
６０  パネル
６０'  ピクセル
６１  制御部
６２  ルックアップテーブル
６３  スキャン駆動部
６４  プリチャージ部
６５  データ駆動部
【図１】
2007164119.tif 000003
【図２】
2007164119.tif 000004
【図３】
2007164119.tif 000005
【図４】
2007164119.tif 000006
【図５】
2007164119.tif 000007
【図６】
2007164119.tif 000008
【図７】
2007164119.tif 000009
【図８】
2007164119.tif 000010
【図９】
2007164119.tif 000011
【図１０】
2007164119.tif 000012
【図１１】
2007164119.tif 000013
【図１２】
2007164119.tif 000014